(57)【要約】【課題】監視端末が設置されたガス需要家宅の通信ネットワークに障害が発生しても、自動検針や保安事象の通報といったガスの集中監視が可能なガス集中監視システムを提供すること。【解決手段】ガスメーターと通信し保安事象を監視する監視手段１１Ａと、保安事象が発生した際に住戸に設置された通信端末２０Ａと無線で通信し、保安事象の発生を集中監視センターに通報する通報手段１２Ａを備え、通報手段１２Ａは通信端末２０Ａと通信できない場合には、別の住戸に設置された通信端末２０Ｂと無線で通信し、保安事象の発生を集中監視センターに通報する。【選択図】図２
2006279164.tif 000002
【特許請求の範囲】
【請求項１】
ガスメーターと通信し保安事象を監視する監視手段と、前記保安事象が発生した際に住戸に設置された通信端末と無線で通信し、前記保安事象の発生を集中監視センターに通報する通報手段を備え、前記通報手段は自らの住戸に設置された通信端末と通信できない場合には、別の住戸に設置された通信端末と無線で通信し、保安事象の発生を前記集中監視センターに通報することを特徴とする監視端末。
【請求項２】
前記通報手段は、自らの住戸に設置された通報端末と通信できない場合には、発生した保安事象の重要度により別の住戸に設置された通信端末と無線で通信し、前記保安事象の発生を前記集中監視センターに通報することを特徴とする請求項１に記載の監視端末。
【請求項３】
各住戸のガスの保安事象を集中監視する集中監視センターとインターネットを介して通信するセンター通信手段と、前記ガスの保安事象を監視する監視端末と無線で通信する宅内通信手段と、前記宅内通信手段が前記ガスの保安事象を検出した場合に、当該通報を行なうよう前記センター通信手段を制御する制御手段を備え、前記制御手段は前記集中監視センターと通信できない場合には、前記宅内通信手段を介し前記監視端末に対して、別の住戸に設置された通信端末を利用して通報を行なうよう制御することを特徴とする通信端末。
【請求項４】
前記制御手段は、集中監視センターと通信できない場合には、監視端末に対して、発生した保安事象の重要度により別の住戸に設置された通信端末を利用して通報を行なうよう制御することを特徴とする請求項３に記載の通信端末。
【請求項５】
各住戸のガスの保安を集中監視する集中監視センターと、各住戸に設置されインターネットを介して前記集中監視センターと通信する通信端末と、ガスの保安事象を監視し、前記ガスの保安事象が発生した場合に前記通信端末と無線で通信し、前記保安事象の発生を前記集中監視センターに通報する監視端末とを備えたガス集中監視システムにおいて、前記通信端末は前記集中監視センターと通信できないと場合に、前記監視端末に対して別の住戸に設置された通信端末を利用して通報を行なうよう前記通信端末が制御することを特徴とするガス集中監視システム。
【請求項６】
各住戸のガスの保安を集中監視する集中監視センターと、各住戸に設置されインターネットを介して前記集中監視センターと通信する通信端末と、ガスの保安事象を監視し、前記ガスの保安事象が発生した場合に前記通信端末と無線で通信し、前記保安事象の発生を前記集中監視センターに通報する監視端末とを備えたガス集中監視システムにおいて、前記通信端末は前記集中監視センターと通信できない場合には、別の住戸に設置された通信端末を介して前記集中監視センターに通報を行なうことを特徴とするガス集中監視システム。
【請求項７】
請求項１〜２のいずれか１項に記載の監視端末の手段の少なくとも一部としてコンピュータを機能させるためのプログラム。
【請求項８】
請求項３〜４のいずれか１項に記載の通信端末の手段の少なくとも一部としてコンピュータを機能させるためのプログラム。
【発明の詳細な説明】
【技術分野】
【０００１】
本発明は、家庭用や業務用などで使用されるガスの保安事象を監視する監視端末、通信端末、ガス集中監視システム、及び、プログラムに関するものである。
【背景技術】
【０００２】
従来、この種のガス集中監視システムは、ガスの保安事象が発生した際や、定期的な検針日に、各住戸に設置された監視端末がガスメーターと通信し、当該情報を集中監視センターに通報するよう構成されている。通報には、電話回線が多く利用されてきたが、近年は家庭へのインターネットの普及に伴い、インターネット回線を利用したガス集中監視システムも考案されてきている（例えば特許文献１参照）。
【特許文献１】特開２００１−３１２７８４号公報
【発明の開示】
【発明が解決しようとする課題】
【０００３】
しかしながら、ガス需要家宅の家庭用インターネットアクセス回線を利用し通報する場合には、アクセス回線のメンテナンスや、住戸内のモデムやルーター等のネットワーク機器の障害、また、ガス需要家がネットワーク機器の電源を抜いてしまう等の原因により、監視端末と集中監視センターとの間で通信障害が発生し、自動検針や保安事象の通報ができないといった課題があった。
【０００４】
本発明は、前記従来の課題を解決するもので、監視端末が設置されたガス需要家宅の通信ネットワークに障害が発生しても、自動検針や保安事象の通報といったガスの集中監視が可能なガス集中監視システムを提供することを目的とする。
【課題を解決するための手段】
【０００５】
前記従来の課題を解決するために、本発明の監視端末、通信端末、ガス集中監視システム、及び、プログラムは、別のガス需要家宅の通信ネットワークを利用して、ガスの集中監視が可能な構成とした。これにより、ガス需要家宅の通信ネットワークに障害が発生しても、ガスの集中監視が可能なガス集中監視システムを提供することが可能となる。
【発明の効果】
【０００６】
本発明の監視端末、通信端末、ガス集中監視システム、及び、プログラムは、ガス需要家宅の通信ネットワークに障害が発生しても、ガスの集中監視が可能なガス集中監視システムを提供することが可能となる。
【発明を実施するための最良の形態】
【０００７】
第１の発明は、ガスメーターと通信し保安事象を監視する監視手段と、保安事象が発生した際に住戸に設置された通信端末と無線で通信し、保安事象の発生を集中監視センターに通報する通報手段を備え、通報手段は自らの住戸に設置された通信端末と通信できない場合には、別の住戸に設置された通信端末と無線で通信し、保安事象の発生を集中監視センターに通報する構成とすることにより、ガス需要家宅の通信ネットワークに障害が発生しても、ガスの集中監視が可能な監視端末を提供することが可能となる。
【０００８】
第２の発明は、特に、第１の発明において、通報手段は、自らの住戸に設置された通報端末と通信できない場合には、発生した保安事象の重要度により別の住戸に設置された通信端末と無線で通信し、保安事象の発生を集中監視センターに通報する構成とすることにより、ガス需要家宅の通信ネットワークに障害が発生しても、重要度の高い保安事象が発生した場合は、緊急性を損なわずガスの集中監視が可能な監視端末を提供することが可能となる。
【０００９】
第３の発明は、各住戸のガスの保安を集中監視する集中監視センターとインターネットを介して通信するセンター通信手段と、ガスの保安事象を監視する監視端末と無線で通信する宅内通信手段と、宅内通信手段がガスの保安事象を検出した場合に、当該通報を行なうようセンター通信手段を制御する制御手段を備え、制御手段は集中監視センターと通信できない場合には、宅内通信手段を介し監視端末に対して、別の住戸に設置された通信端末を利用して通報を行なうよう制御する構成とすることにより、ガス需要家宅の通信ネットワークに障害が発生しても、ガスの集中監視が可能な通信端末を提供することが可能となる。
【００１０】
第４の発明は、特に、第３の発明において、制御手段は、集中監視センターと通信できない場合には、監視端末に対して、発生した保安事象の重要度により別の住戸に設置された通信端末を利用して通報を行なうよう制御する構成とすることにより、ガス需要家宅の通信ネットワークに障害が発生しても、重要度の高い保安事象が発生した場合は、緊急性を損なわずガスの集中監視が可能な監視端末を提供することが可能となる。
【００１１】
第５の発明は、各住戸のガスの保安を集中監視する集中監視センターと、各住戸に設置されインターネットを介して集中監視センターと通信する通信端末と、ガスの保安事象を監視し、ガスの保安事象が発生した場合に通信端末と無線で通信し、保安事象の発生を集中監視センターに通報する監視端末とを備えたガス集中監視システムにおいて、通信端末は集中監視センターと通信できないと場合に、監視端末に対して別の住戸に設置された通信端末を利用して通報を行なうよう通信端末が制御する構成とすることにより、ガス需要家宅の通信ネットワークに障害が発生しても、ガスの集中監視が可能なガス集中監視システムを提供することが可能となる。
【００１２】
第６の発明は、各住戸のガスの保安を集中監視する集中監視センターと、各住戸に設置されインターネットを介して集中監視センターと通信する通信端末と、ガスの保安事象を監視し、ガスの保安事象が発生した場合に通信端末と無線で通信し、保安事象の発生を集中監視センターに通報する監視端末とを備えたガス集中監視システムにおいて、通信端末は集中監視センターと通信できない場合には、別の住戸に設置された通信端末を介して集中監視センターに通報を行なう構成とすることにより、ガス需要家宅の通信ネットワークに障害が発生しても、ガスの集中監視が可能なガス集中監視システムを提供することが可能となる。
【００１３】
第７の発明は、第１、第２のいずれか１つの発明における監視端末の手段の少なくとも一部としてコンピュータを機能させるためのプログラムである。これにより、電気・情報機器、コンピュータ、サーバー等のハードリソースを協働させて、監視端末の少なくとも一部を容易に実現することができる。また、記憶媒体に記憶したり、通信回線を用いてプログラムを配信したりすることでプログラムの配布やインストール作業が簡単にできる。
【００１４】
第８の発明は、第３、第４のいずれか１つの発明における通信端末の手段の少なくとも一部としてコンピュータを機能させるためのプログラムである。これにより、電気・情報機器、コンピュータ、サーバー等のハードリソースを協働させて、通信端末の少なくとも一部を容易に実現することができる。また、記憶媒体に記憶したり、通信回線を用いてプログラムを配信したりすることでプログラムの配布やインストール作業が簡単にできる。
【００１５】
以下、本発明の実施の形態について、図面を参照しながら説明する。なお、この実施の形態によって本発明が限定されるものではない。
【００１６】
（実施の形態１）
図１は、本発明の実施の形態１におけるガス集中監視システムの構成を示すブロック図である。
【００１７】
図１において、１０Ａ、１０Ｂは、個々を識別するＩＤが付与された監視端末であり、それぞれガスメーター３０Ａ、３０Ｂと接続され、通信することによりガスの保安事象を監視している。例えば、ガスの異常な継続使用や、急激なガスの流量増加などを監視するとともに、定期的にガスメーター３０Ａ、３０Ｂの指針値を取得し検針を実施している。
【００１８】
２０Ａ、２０Ｂは通信端末であり、住戸Ａ、住戸Ｂに設置された宅内ＬＡＮ６０Ａ、６０Ｂ、及び、ゲートウェイ７０Ａ、７０Ｂを介してインターネット８０に接続され集中監視センター９０と通信している。ここで、ゲートウェイとは家庭からのインターネット接続に必要なルーターやモデムなどのネットワーク機器を総称している。
【００１９】
また、通信端末２０Ａ、２０Ｂは、無線で監視端末１０Ａ、１０Ｂと通信しており、監視端末１０Ａ、１０Ｂがガスの保安事象を検知した際、インターネット８０を通じて集中監視センター２０に保安事象の発生を通報する。すなわち、ガスの保安事象は、監視端末１０Ａ、１０Ｂが検出し、通信端末２０Ａ、２０Ｂ、宅内ＬＡＮ６０Ａ、６０Ｂ、ゲートウェイ７０Ａ、７０Ｂ、インターネット８０を介して、集中監視センターに通報されるよう構成されている。保安事象の通報内容には、監視端末のＩＤや保安事象が発生した日時などの情報が含まれている。
【００２０】
ガスメーター３０Ａ、３０Ｂは一般に屋外に設置されるため、ガスメーター３０Ａ、３０Ｂとの接続が必要な監視端末１０Ａ、１０Ｂは屋外に設置される。また、宅内ＬＡＮ６０Ａ、６０Ｂに接続が必要な通信端末２０Ａ、２０Ｂは屋内に設置されるため、監視端末１０Ａ、１０Ｂとの通信には、設置工事を簡単にするため無線通信が利用される。設置工事の際に、監視端末１０Ａと通信端末２０Ａが、そして、監視端末１０Ｂと通信端末２０Ｂがそれぞれ無線通信が可能となるよう接続される。また、図１に示す例では、監視端末１０Ａと通信端末２０Ｂが、そして、監視端末１０Ｂと２０Ａがそれぞれ通信可能に接続されている。
【００２１】
図２は、本発明の実施の形態１における監視端末のブロック図を示すものである。
【００２２】
図２において、１０Ａ、１０Ｂは監視端末である。監視端末は同様に構成されるため、以下の説明では監視端末１０Ａを用いて説明する。
【００２３】
監視端末１０Ａにおいて、１１Ａは監視手段であり、ガスメーター３０Ａに接続され、通信によりガスの保安事象を監視している。監視手段１１Ａがガスのガスの保安事象を検知すると、監視端末１０Ａは通報動作を開始する。１２Ａは通報手段であり、通信端末２０Ａに対し保安事象が発生した旨の検知信号を送信し、また、通信端末２０Ａからはその応答信号を受信する。
【００２４】
図２において、２０Ａは通信端末であり、監視端末１０Ａの通報手段１２Ａが送信する検知信号を受信すると、宅内ＬＡＮ６０、インターネットを通じて、当該保安事象を集中監視センターに対し通報する。また、通報手段１２Ａが送信する検知信号を受信した場合、応答信号を監視端末１０Ａに対して送信する。そして、通報手段１２Ａが応答信号を受信した場合、監視端末１０Ａの通報動作は完了する。
【００２５】
また、通信端末２０Ａや、通信端末２０Ａが接続されている宅内ＬＡＮ６０Ａ等に障害が発生しており、応答信号が受信できない場合、監視端末１０Ａは、通信端末２０Ａに対し一定回数（たとえば１０回）の検知信号の送信を試みるが、その一定回数を経ても、監視端末２０Ａから応答信号が受信できない場合は通報端末２０Ａに対する通報動作を中止する。
【００２６】
ここで、発生した保安事象が、ガス漏れなど重要で緊急度の高い保安情報であった場合には、監視端末１０Ａは通信端末２０Ｂに対し新たな通報動作を開始する。監視端末１０Ａから検知信号を受信した通信端末２０Ｂは、集中監視センターへの通報動作を開始するとともに、監視端末１０Ａに対して応答信号を送信する。監視端末１０Ａが送信する検知信号には、保安事象の内容、保安事象が発生した日時の他、監視端末を特定できるＩＤが含まれているので、集中監視センターでは、通信端末２０Ａ、２０Ｂのどちらから通報を受信しても監視端末、すなわち、保安事象の発生した住戸を特定できる。
【００２７】
次に、本発明の実施の形態１における監視端末の通報シーケンスについて説明する。
【００２８】
図３は、本発明の実施の形態１における監視端末の通報シーケンスを示す図である。
【００２９】
図３において、監視端末１０Ａがガスの保安事象を検出する（Ｓ３０１）と、監視端末１０Ａは通信端末２０Ａに対して検知信号を送信する（Ｓ３０２）し、通信端末２０Ａからの応答信号を待つ（Ｓ３０３）。監視端末１０Ａは、応答信号が一定時間内に受信できない場合はタイムアウト（Ｓ３０４）し、検知信号の再送を行なう（Ｓ３０５）。そして、再び、応答信号を待つ（Ｓ３０６）。
【００３０】
次に、監視端末１０Ａは、通信端末２０Ａからの応答信号が一定時間内に受信できない場合はタイムアウト、及び、リトライアウトする（Ｓ３０７）。ここでは、説明を簡単にするためリトライ回数は１回としている。
【００３１】
次に、監視端末１０Ａは、保安事象の内容により別の住戸に設置された通信端末２０Ｂを介して通報を行なうか否か判断する（Ｓ３０８）。図３では、監視端末１０Ａは発生した保安事象が「ガス漏れ」である場合には、通信端末２０Ｂを介して通報を行なう例を示しており、発生した保安事象が「ガス漏れ」である場合には、通信端末２０Ｂに対して検知信号を送信する（Ｓ３０９）。検知信号を受信した通信端末２０Ｂは監視端末１０Ａに対して応答結果を送信し（Ｓ３１０）、また、通信端末２０Ｂは受信した検知信号の内容を集中監視センター９０に通報する（Ｓ３１１）。応答結果を受信した監視端末１０Ａは通報動作を完了する（Ｓ３１２）。
【００３２】
Ｓ３０９において、発生した保安事象が「ガス漏れ」ではなかった場合、監視端末１０Ａはここで通報動作を完了する（Ｓ３１２）。
【００３３】
この例では、１台の監視端末が２台の通信端末と通信可能な構成を例に取ったが、１台の監視端末が３台以上の通信端末と通信可能な構成としてもよい。この場合、より障害に強いガス集中監視システムを構成することが可能となる。
【００３４】
（実施の形態２）
図４は、本発明の実施の形態２における監視端末と通信端末のブロック図を示すものである。
【００３５】
監視端末については、先に説明した構成と同様のため説明を簡略する。
【００３６】
図４において、２０Ａ、２０Ｂは通信端末である。通信端末は同様に構成されるため、以下の説明では通信端末２０Ａを用いて説明する。
【００３７】
通信端末２０Ａにおいて、２１Ａは宅内通信手段であり、監視端末１０Ａが送信する検知信号を受信し、監視端末１０Ａに応答信号を送信する。２２Ａはセンター通信手段であり、宅内ＬＡＮ６０Ａと接続され、インターネットを通じて集中監視センターと通信する。２３Ａは制御手段であり、宅内通信手段２１Ａが監視端末１０Ａから検知信号を受信すると、センター通信手段２２Ａを制御し、当該保安事象を集中監視センターに対し通報する。
【００３８】
また、制御手段２３Ａは集中監視センターへの通報結果（成功または失敗）を宅内通信手段２１Ａを介して、監視端末１０Ａに対して送信する。通報結果を受信した監視端末１０Ａは、通報結果が「成功」であった場合は、通報動作を完了する。また、通報結果が「失敗」であった場合や通報結果が受信できない場合、監視端末１０Ａは、通信端末２０Ａに対し一定回数検知信号の送信を試みる。そして、一定回数を経ても監視端末２０Ａからの通報結果が「成功」にならない場合、監視端末１０Ａは通報端末２０Ａに対する通報動作を中止する。
【００３９】
ここで、発生した保安事象が、ガス漏れなど重要で緊急度の高い保安情報であった場合には、監視端末１０Ａは通信端末２０Ｂに対し新たな通報動作を開始する。
【００４０】
監視端末１０Ａから検知信号を受信した通信端末２０Ｂは、集中監視センターへの通報動作を開始するとともに、監視端末１０Ａに対して応答信号を送信する。なお、監視端末１０Ａが送信する検知信号には、保安事象の内容、保安事象が発生した日時の他、監視端末を特定できるＩＤが含まれているので、集中監視センターでは、通信端末２０Ａ、２０Ｂのどちらから通報を受信しても監視端末、すなわち、保安事象の発生した住戸を特定できる。
【００４１】
次に、本発明の実施の形態２における通信端末の通報シーケンスについて説明する。
【００４２】
図５は、本発明の実施の形態２における通信端末の通報シーケンスを示す図である。
【００４３】
図５において、監視端末１０Ａがガスの保安事象を検出する（Ｓ５０１）と、監視端末１０Ａは通信端末２０Ａに対して検知信号を送信する（Ｓ５０２）。検知信号を受信した通信端末２０Ａは、集中監視センター９０に対し当該保安情報の通報を行なう（Ｓ５０３）。次に、通信端末２０Ａは集中監視センター９０への通報結果（成功または失敗）を監視端末１０Ａに送信する（Ｓ５０４）。
【００４４】
通報結果が「成功」であった場合、監視端末１０Ａは通報動作を完了する。通報結果が「失敗」あった場合や、通報結果が一定時間内に受信できない場合はタイムアウトし、リトライ動作を開始し（Ｓ５０５）、監視端末１０Ａは検知信号の再送を行なう（Ｓ５０６）。検知信号を受信した通信端末２０Ａは、集中監視センター９０に対し再び当該保安情報の通報を行なう（Ｓ５０７）。
【００４５】
次に、通信端末２０Ａは集中監視センター９０への通報結果（成功または失敗）を監視端末１０Ａに送信する（Ｓ５０８）。通報結果が「成功」であった場合、監視端末１０Ａは通報動作を完了する。通報結果が「失敗」あった場合や、通報結果が一定時間内に受信できない場合はタイムアウトし、リトライ動作を停止する（Ｓ５０９）。ここでは、説明を簡単にするためリトライ回数は１回としている。
【００４６】
次に、監視端末１０Ａは、保安事象の内容により別の住戸に設置された通信端末２０Ｂを介して通報を行なうか否か判断する（Ｓ５１０）。図５では、監視端末１０Ａは発生した保安事象が「ガス漏れ」である場合には、通信端末２０Ｂを介して通報を行なう例を示しており、発生した保安事象が「ガス漏れ」である場合には、通信端末２０Ｂに対して検知信号を送信する（Ｓ５１１）。
【００４７】
検知信号を受信した通信端末２０Ｂは集中監視センター９０に対し当該保安情報の通報を行なう（Ｓ５１２）。次に、通信端末２０Ａは集中監視センター９０への通報結果（成功または失敗）を監視端末１０Ａに送信する（Ｓ５１３）。通報結果が「成功」であった場合、監視端末１０Ａは通報動作を完了する（Ｓ５１４）。Ｓ５１０において、発生した保安事象が「ガス漏れ」ではなかった場合、監視端末１０Ａはここで通報動作を完了する（Ｓ５１４）。
【００４８】
また、本実施の形態では、通信端末２０Ａが集中監視センターとの通信に失敗した場合、監視端末１０Ａが再度通信端末２０Ｂと通信することで、通報を行なうよう構成した例を説明したが、通信端末１０Ａが集中監視センターとの通信に失敗した場合には、通信端末１０Ａが通信端末２０Ａと通信し、通報を行なう構成としても良い。
【００４９】
インターネットや宅内ＬＡＮを利用したガス集中監視システムでは、従来の電話回線を用いたシステムに比べ多くの機器や通信ネットワークを介するため、通信障害が発生しやすいが、本実施例のように構成すれば、通信端末と宅内ＬＡＮの接続、宅内ＬＡＮやネットワーク機器、また、各家庭に敷設されるインターネットアクセス回線に障害が発生しても、これを回避することが可能となる。
【００５０】
なお、本実施の形態において、通報手段１２Ａは、自らの住戸に設置された通報端末２０Ａと通信できない場合には、発生した保安事象の重要度により別の住戸に設置された通信端末２０Ｂと無線で通信し、保安事象の発生を集中監視センターに通報する構成としている。ここで、発生した保安事象が「ガス漏れ」のほかに「ガスの使用異常」「監視端末の電源である電池切れ」など緊急を要する通報である場合には、通信端末２０Ｂに対して検知信号を送信する。
【００５１】
また、集中監視センター９０は監視端末１０Ａからの通報を受信した際に、通信端末２０Ａを介して受信したか（正常）、通信端末２０Ｂを介して受信したか（異常）を判断できるように、どの通信端末を経由してきたかを示す情報を受信した通報の一部に含めても良い。またそのときの時刻情報を含めても良い。このようにすると、どの住戸のいつ頃に通信環境に障害があったかがわかる。
【００５２】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００５３】
以上のように、本発明にかかる監視端末、通信端末、ガス集中監視システム、及び、プログラムは、複数のガス需要家宅の通信ネットワークを利用して、ガスの集中監視が可能な構成とすることで、ガス需要家宅の通信ネットワークに障害が発生しても、ガスの集中監視が可能なガス集中監視システムを提供することが可能となるため、住戸用、或いは、業務用のガス集中監視システムなどに適用することができる。
【００５４】
勿論、ガスに限らず電力メータや水道メータの集中監視システムやセキュリティシステムに利用することが可能である。
【図面の簡単な説明】
【００５５】
【図１】本発明の実施の形態１におけるガス集中監視システムの構成を示すブロック図
【図２】本発明の実施の形態１における監視端末のブロック図
【図３】本発明の実施の形態１における監視端末の通報シーケンスを示す図
【図４】本発明の実施の形態２における監視端末と通信端末のブロック図
【図５】本発明の実施の形態２における通信端末の通報シーケンスを示す図
【符号の説明】
【００５６】
１０Ａ、１０Ｂ  監視端末
１１Ａ、１１Ｂ  監視手段
１２Ａ、１２Ｂ  通報手段
２０Ａ、２０Ｂ  通信端末
２１Ａ、２１Ｂ  宅内通信手段
２２Ａ、２２Ｂ  センター通信手段
２３Ａ、２３Ｂ  制御手段
３０Ａ、３０Ｂ  ガスメーター
６０Ａ、６０Ｂ  宅内ＬＡＮ
７０Ａ、７０Ｂ  ゲートウェイ
８０  インターネット
９０  集中監視センター
【図１】
2006279164.tif 000003
【図２】
2006279164.tif 000004
【図３】
2006279164.tif 000005
【図４】
2006279164.tif 000006
【図５】
2006279164.tif 000007